(57)【要約】      （修正有）【課題】足場が滑り易い場所であっても、使用者の安全を確保することができ、且つ場所を問わず、手軽に足湯を楽しむことができる風呂用椅子を提供する。【解決手段】風呂用椅子において、使用者が着座する腰掛け部１１と、上記腰掛け部の前方に設けられ、お湯を貯留して足湯を使うことができる足湯部１２とを備え、上記足湯部の底部には貯留したお湯を排出しうる排出孔部が設けられていることを特徴とする。【選択図】図１
0003185255.tif 000002
【実用新案登録請求の範囲】
【請求項１】
使用者が着座しうる腰掛け部と、上記腰掛け部の前方に設けられ、お湯を貯留して足湯を使うことができる足湯部とを備え、上記足湯部の底部には貯留したお湯を排出しうる排出孔部が設けられていることを特徴とする風呂用椅子。
【請求項２】
上記腰掛け部は、全体略直方体形状に形成され、座部と、座部の周囲において下方に延設された側面部とを備えると共に、上記足湯部は、全体略直方体状であって上記腰掛け部と一体的に形成され、底部と、上記底部の周囲に上方へ延設された側面部とを備えていることを特徴とする請求項１に記載の風呂用椅子。
【請求項３】
上記腰掛け部は、方形状の座部と、座部の一対の後部側隅部において下方に延設された一対の脚部とを備えると共に、上記足湯部は、全体略直法体形状に形成され、方形状の底部と、上記底部の周囲に上方に延設された側面部とを備え、上記座部の一対の前部側において下方に延設された一対の脚部の両端部は、上記足湯部の縁部の各後部側隅部に固定されていることを特徴とする請求項１に記載の風呂用椅子。
【請求項４】
上記腰掛け部の足湯部側の側面部内方には水位調節のための排水管が設けられ、上記排水管は、足湯部底面部から足湯部の上端部方向に立ち上がって設けられた管状部材からなり、一端には足湯部底面部に開口する吸水口部を有すると共に他端には足湯部外方に開口する排水口部と、上記吸水口部と上記排水口部との間で足湯部上端部において屈曲する屈曲部と、足湯部の上端部近傍において足湯部に開口する通気口部とを有することを特徴とする請求項１、２又は３の何れか１項に記載の風呂用椅子。
【請求項５】
上記腰掛け部及び足湯部にはスリップ防止用の接地部が設けられていることを特徴とする請求項１又は２の何れか１項に記載の風呂用椅子。
【考案の詳細な説明】
【技術分野】
【０００１】
本考案は、安全性に優れ、且つ場所を問わず、手軽に足湯を楽しむことができる風呂用椅子に関するものである。
【背景技術】
【０００２】
近年、足を温水に浸す足湯が流行しており、温泉場を中心に足湯の浴場が設置されている。足を温水で暖めることで、簡易的な入浴効果があるだけでなく、血行を良くして健康と美容に効果があるとされている。
【０００３】
そこで、温泉場等の固定された足湯の浴場に対し、複数の使用者が足湯をどこでも楽しむことができるように、移動式の足湯システムが開示されている（例えば、特許文献１参照）。
【０００４】
しかしながら、特許文献１に記載の足湯システムにおいては、温泉場等の固定された足湯の浴場に設置するためのものであるので、個人的に足湯を楽しむことはできないという問題があった。
【０００５】
また、大きめの桶等にお湯を入れて、自宅等で足湯を楽しむこともできるが、浴室は滑り易く足元が不安定であるので、例えば、桶に足を入れた状態で足元に力を入れると、桶が滑って使用者が転倒する可能性もあり、安心して足湯を利用することができないという問題があった。
【特許文献１】実用新案登録第３１５６１４１号公報
【考案の開示】
【考案が解決しようとする課題】
【０００６】
本考案は、上記従来技術の有する問題点に鑑みなされたものであり、その目的とするところは、足場が滑り易い場所であっても、使用者の安全を確保することができ、且つ場所を問わず、手軽に足湯を楽しむことができる風呂用椅子を提供することにある。
【課題を解決するための手段】
【０００７】
本考案の上記課題は、下記の手段によって達成される。
【０００８】
請求項１の考案に係る風呂用椅子は、使用者が着座しうる腰掛け部と、上記腰掛け部の前方に設けられ、お湯を貯留して足湯を使うことができる足湯部とを備え、上記足湯部の底部には貯留したお湯を排出しうる排出孔部が設けられていることを特徴とする。
【０００９】
従って、本考案に係る風呂用椅子は、腰掛け部と、上記腰掛け部の前方に設けられた足湯部とを備え、上記足湯部の底部には排出孔部が設けられていることから、上記足湯部にお湯を貯留して足湯を使うことができると共に、不要になったお湯を排出孔部から排出することができる。
【００１０】
請求項２の考案に係る風呂用椅子は、上記腰掛け部は、全体略直方体形状に形成され、座部と、座部の周囲において下方に延設された側面部とを備えると共に、上記足湯部は、全体略直方体状であって上記腰掛け部と一体的に形成され、底部と、上記底部の周囲に上方へ延設された側面部とを備えていることを特徴とし、また、請求項３の考案に係る風呂用椅子は、上記腰掛け部は、方形状の座部と、座部の一対の後部側隅部において下方に延設された一対の脚部とを備えると共に、上記足湯部は、全体略直法体形状に形成され、方形状の底部と、上記底部の周囲に上方に延設された側面部とを備え、上記座部の一対の前部側において下方に延設された一対の脚部の両端部は、上記足湯部の縁部の各後部側隅部に固定されていることを特徴とする。
【００１１】
従って、本考案に係る風呂用椅子は、上記腰掛け部が、座部と、座部の周囲において下方に延設された側面部とを備えると共に、上記足湯部が、上記腰掛け部と一体的に形成され、底部と、上記底部の周囲に上方へ延設された側面部とを備えており、また、上記腰掛け部が、座部と、座部の一対の後部側隅部において下方に延設された一対の脚部とを備えると共に、上記足湯部が、底部と、上記底部の周囲に上方に延設された側面部とを備え、上記座部の一対の前部側において下方に延設された一対の脚部の両端部は、上記足湯部の縁部の各後部側隅部に固定されていることから、着座した状態は勿論のこと、起立した状態で足湯部に足を入れても、風呂用椅子の安定性を保持することができる。
【００１２】
請求項４の考案に係る風呂用椅子は、上記腰掛け部の足湯部側の側面部内方には水位調節のための排水管が設けられ、上記排水管は、足湯部底面部から足湯部の上端部方向に立ち上がって設けられた管状部材からなり、一端には足湯部底面部に開口する吸水口部を有すると共に他端には足湯部外方に開口する排水口部と、上記吸水口部と上記排水口部との間で足湯部上端部において屈曲する屈曲部と、足湯部の上端部近傍において足湯部に開口する通気口部とを有することを特徴とする。
【００１３】
従って、本考案に係る風呂用椅子は、上記腰掛け部の足湯部側の側面部内方には水位調節のための排水管が設けられ、上記排水管は、足湯部底面部から足湯部の上端部方向に立ち上がって設けられた管状部材からなり、一端には足湯部底面部に開口する吸水口部を有すると共に他端には足湯部外方に開口する排水口部と、上記吸水口部と上記排水口部との間で足湯部上端部において屈曲する屈曲部と、足湯部の上端部近傍において足湯部に開口する通気口部とを有していることから、上記足湯部に貯留したお湯のうち、上記足湯部底面部付近のお湯から外部に順次排出し、上記足湯部に貯留したお湯の水位を調節することができる。
【００１４】
請求項５の考案に係る風呂用椅子は、上記腰掛け部及び足湯部にはスリップ防止用の接地部が設けられていることを特徴とする。
【００１５】
従って、本考案に係る風呂用椅子は、上記腰掛け部及び足湯部にはスリップ防止用の接地部が設けられていることから、使用者が臀部又は足元に力を入れてもスリップを防止することができる。
【考案の効果】
【００１６】
請求項１の考案にあっては、腰掛け部と、上記腰掛け部の前方に設けられた足湯部とを備え、上記足湯部の底部には排出孔部が設けられていることから、上記足湯部にお湯を貯留して足湯を使うことができると共に、不要になったお湯を排出孔部から排出することができるので、お湯を排出する度に風呂用椅子を持ち上げる必要がなくなり、使用者の負担を大幅に軽減することができる。
【００１７】
その結果、請求項１に係る風呂用椅子を使用してシャワーを浴びた場合には、シャワーのお湯が足湯部に溜まり、使用者は、腰掛け部に腰掛けて足湯部に足を収納させた状態で、別途にお湯を足湯部に注ぐことなくシャワーを浴びながら足湯を楽しむことができ、冬場であっても足を加温しつつシャワーを使用することができる。
【００１８】
請求項２又は３の考案にあっては、上記腰掛け部が、座部と、座部の周囲において下方に延設された側面部とを備えると共に、上記足湯部が、上記腰掛け部と一体的に形成され、底部と、上記底部の周囲に上方へ延設された側面部とを備えており、また、上記腰掛け部が、座部と、座部の一対の後部側隅部において下方に延設された一対の脚部とを備えると共に、上記足湯部が、底部と、上記底部の周囲に上方に延設された側面部とを備え、上記座部の一対の前部側において下方に延設された一対の脚部の両端部は、上記足湯部の縁部の各後部側隅部に固定されていることから、着座した状態は勿論のこと、起立した状態で足湯部に足を入れても、風呂用椅子の安定性を保持することができるので、誰でも手軽に通常の足湯を楽しむことができると共に、足湯を使いながら、例えば、シャワーを浴びたり、髭剃りや歯磨き等の別の動作を安全に行うことができる。
【００１９】
請求項４の考案にあっては、上記腰掛け部の足湯部側の側面部内方には水位調節のための排水管が設けられ、上記排水管は、足湯部底面部から足湯部の上端部方向に立ち上がって設けられた管状部材からなり、一端には足湯部底面部に開口する吸水口部を有すると共に他端には足湯部外方に開口する排水口部と、上記吸水口部と上記排水口部との間で足湯部上端部において屈曲する屈曲部と、足湯部の上端部近傍において足湯部に開口する通気口部とを有していることから、上記足湯部に貯留したお湯のうち、上記足湯部底面部付近のお湯から外部に順次排出し、上記足湯部に貯留したお湯の水位を調節することができるので、上記足湯部底面部付近の冷めたお湯を排出して、上記足湯部内のお湯の温度を一定に保つことができると共に、常に適量のお湯を上記足湯部に貯留しておくことができ、その結果、水道代やガス代等を大幅に節減することができる。
【００２０】
請求項５の考案にあっては、上記腰掛け部及び足湯部にはスリップ防止用の接地部が設けられていることから、使用者が臀部又は足元に力を入れてもスリップを防止することができるので、使用者は安全面に気を取られることなく快適に足湯を楽しむことができる。
【図面の簡単な説明】
【００２１】
【図１】本考案に係る風呂用椅子の第一の実施形態を示した斜視図である。
【図２】本考案に係る風呂用椅子の第一の実施形態を示した平面図である。
【図３】本考案に係る風呂用椅子の第一の実施形態を示した正面図である。
【図４】本考案に係る風呂用椅子の第二の実施形態を示した斜視図である。
【考案を実施するための最良の形態】
【００２２】
以下、本考案に係る風呂用椅子を実施の形態に基づき、図面を参照して詳細に説明する。なお、本考案の風呂用椅子は、以下の各実施形態に限定されるものではなく、本考案の要旨を逸脱しない範囲内において種々変更を加え得ることは可能である。
【００２３】
まず、本考案に係る風呂用椅子の第一の実施形態について説明する。
【００２４】
図１〜図３に示すように、本実施形態に係る風呂用椅子１０は、使用者が着座しうる腰掛け部１１と、腰掛け部１１の前方に設けられ、お湯を貯留して足湯を使うことができる足湯部１２とを備えている。
【００２５】
図１及び図２に示すように、腰掛け部１１は、全体略直方体形状に形成され、座部１７と、座部１７の周囲において下方に延設された腰掛け部側面部１８とを備えており、座部１７は、腰掛け部側面部１８の上端部に設けられた段差の小さな凹部として形成されている。
【００２６】
図２及び図３に示すように、足湯部１２は、全体略直方体状であって腰掛け部１１と一体的に形成され、底部１３と、底部１３の周囲に上方へ延設された足湯部側面部２０とを備えている。
【００２７】
図２及び図３に示すように、足湯部１２の底部１３の前方側には貯留したお湯を排出しうる、平面略円形状の排出孔部１４が設けられており、排出孔部１４には、排出孔部１４と略同一径の円盤状の蓋部２５が嵌合されている。
【００２８】
本実施形態においては、排出孔部１４に蓋部２５を嵌め込むことにより、足湯部１２にお湯を貯留して足湯を使うことができると共に、排出孔部１４から蓋部２５を外すことにより、不要になったお湯を排出孔部１４から排出することができるので、お湯を排出する度に風呂用椅子１０を持ち上げる必要がなくなり、その結果、使用者の負担を大幅に軽減することができる。
【００２９】
図２及び図３に示すように、腰掛け部１１の足湯部１２側の腰掛け部側面部１８の内方には、水位調節のための排水管１５が設けられている。
【００３０】
図２及び図３に示すように、排水管１５は、足湯部１２の底面部から足湯部１２の上端部方向に立ち上がって設けられた、側面略細長逆Ｕ字状の管状部材からなり、一端には、足湯部１２の底面部に開口する吸水口部２１が形成されると共に、他端には、足湯部１２の外方に開口する排水口部２２が形成されている。
【００３１】
また、図２及び図３に示すように、吸水口部２１と排水口部２２との間で足湯部１２の上端部において屈曲する屈曲部２３と、屈曲部２３に設けられ、足湯部１２の上端部近傍において足湯部１２側に開口する通気口部２４とを有している。
【００３２】
本実施形態においては、風呂用椅子１０に排水管１５を設けたことにより、足湯部１２に貯留したお湯のうち、足湯部１２の底面部付近のお湯から外部に順次排出し、足湯部１２に貯留したお湯の水位を調節することができるので、足湯部１２の底面部付近の冷めたお湯を排出して、足湯部１２内のお湯の温度を一定に保つことができると共に、常に適量のお湯を足湯部１２に貯留しておくことができる。
【００３３】
また、足湯部１２に足を浸けることにより足を加温できることから、シャワーに使用している場合でも身体が暖かく、その結果、水道代やガス代等を大幅に節減することができる。
【００３４】
図１及び図３に示すように、腰掛け部１１及び足湯部１２の下方周縁部１９には、スリップ防止用の接地部１６が設けられており、具体的には、腰掛部１１の裏側底部の各隅部の４ヶ所と、足湯部の裏側底部の各前方側隅部の２ヶ所に設けられている。
【００３５】
本実施形態においては、腰掛け部１１及び足湯部１２の下方周縁部１９に接地部１６が設けられたことにより、使用者が臀部又は足元に力を入れてもスリップを防止することができるので、使用者は安全面に気を取られることなく快適に足湯を楽しむことができる。
【００３６】
次に、本考案に係る風呂用椅子の第二の実施形態について説明する。
【００３７】
なお、本実施形態に係る風呂用椅子２６は、上述した第一の実施形態に係る風呂用椅子１０の構成要素の腰掛部１１の構成が異なる以外は、風呂用椅子１０と同一の構成であるので、本実施形態については、異なる部分についてのみ説明し、それ以外の部分については説明を省略する。
【００３８】
図４に示すように、本実施形態に係る風呂用椅子２６は、腰掛け部２７と足湯部３０とを有しており、腰掛け部２７は、方形状の座部２８と、座部２８の一対の後部側隅部において下方に延設された一対の脚部２９、２９とを備えている。
【００３９】
また、図４に示すように、足湯部３０は、全体略直法体形状に形成され、方形状の底部３１と、底部３１の周囲に上方に延設された足湯部側面部３２とを備え、座部２８の一対の前部側において下方に延設された一対の脚部３３、３３の両端部は足湯部３０の縁部の各後部側隅部に固定されている。
【００４０】
これにより、着座した状態は勿論のこと、起立した状態で足湯部３０に足を入れても、風呂用椅子２６の安定性を保持することができるので、誰でも手軽に通常の足湯を楽しむことができると共に、足湯を使いながら、例えば、シャワーを浴びたり、髭剃りや歯磨き等の別の動作を安全に行うことができる。
【００４１】
なお、上述した各実施例にかかる風呂用椅子においては、排水管や接地部の設置位置、設置数、形状等を適宜変更することが可能であり、その場合であっても本実施形態ともに上述した同様の作用及び効果を得ることができる。
【００４２】
また、上述した各実施例にかかる風呂用椅子においては、排水管と共に、又は排水管に替えて足湯部の側面部に、例えば、図１に示すように水位調節孔部３４を設けてもよく、その設置位置や設置数を適宜変更することが可能であり、その場合であっても本実施形態ともに上述した同様の作用及び効果を得ることができる。
【００４３】
次に、本考案に係る風呂用椅子の使用方法について説明する。なお、ここでは、第一の実施形態にかかる風呂用椅子１０を、浴室で使用する場合を例に挙げて説明する。
【００４４】
まず、図２及び図３に示すように、排出孔部１４に蓋部２５を嵌め込み、風呂用椅子１０の足湯部１２にお湯を入れると、足湯部１２に貯留されたお湯が吸水孔部２１から排水管１５内に流入する。
【００４５】
次いで、排水管１５内にお湯が満たされと、排水管１５の通気孔部２４から空気が流入し、排水管１５内の空気圧の変化により排水管１５の排水孔部２２からお湯が排出され、図３に示すように、Ａ−Ａ線の位置からＢ−Ｂ線の位置まで水位が下がり、排水管１５内へのお湯の流入が停止する。
【００４６】
その状態で、足湯部１２に足を浸けることにより足を加温できることから、シャワーに使用している場合でも身体が暖かく、その結果、水道代やガス代等を大幅に節減することができる。
【００４７】
なお、足湯部１２内にお湯を再度入れると、上記と同様の作用により、足湯部１２内に適量のお湯を貯留することができる。
【産業上の利用可能性】
【００４８】
本考案に係る風呂用椅子は、着座した状態は勿論のこと、起立した状態で足湯部に足を入れても、風呂用椅子の安定性を保持することができるので、誰でも手軽に通常の足湯を楽しむことができると共に、足湯を使いながら、例えば、シャワーを浴びたり、髭剃りや歯磨き等の別の動作を安全に行うことができ、風呂用椅子として極めて有用であることから、産業上の利用可能性を有している。
【符号の説明】
【００４９】
１０、２６・・・風呂用椅子
１１、２７・・・腰掛け部
１２、３０・・・足湯部
１３、３１・・・底部
１４・・・排出孔部
１５・・・排水管
１６・・・接地部
１７、２８・・・座部
１８・・・腰掛け部側面部
１９・・・下方周縁部
２０、３２・・・足湯部側面部
２１・・・吸水孔部
２２・・・排水孔部
２３・・・屈曲部
２４・・・通気孔部
２５・・・蓋部
２９、３３・・・脚部
３４・・・水位調節孔部
【図１】
0003185255.tif 000003
【図２】
0003185255.tif 000004
【図３】
0003185255.tif 000005
【図４】
0003185255.tif 000006